(57)【要約】【課題】ボウル内の汚物が付着しやすい後面の洗浄性を向上させると共に清掃性を向上させること。【解決手段】ボウル２と、ボウル２の上端に設けられて便座１４を載置するリム９と、水洗水供給装置４からの水洗水をボウル２内に吐出する吐出口５とを備える。前記吐出口５をボウル２内の左右方向いずれか一方の側面２ｃ（２ｄ）の上部に設けると共に水洗水の吐出方向を前記ボウル２内の側面２ｃ（２ｄ）よりも後方Ｂに位置する後面２ａに向くように設定し、この後面２ａの上端１３の高さを側面２ｃ（２ｄ）の上端９ａの高さよりも高く形成することで後面２ａにおける水洗水が当たる領域を上方向に拡大した水洗便器１である。【選択図】図１
2011231472.tif 000002
【特許請求の範囲】
【請求項１】
ボウルと、ボウルの上端に設けられて便座を載置するリムと、水洗水供給装置からの水洗水をボウル内に吐出する吐出口とを備える水洗便器であって、前記吐出口をボウル内の左右方向いずれか一方の側面の上部に設けると共に水洗水の吐出方向を前記ボウル内の側面よりも後方に位置する後面に向くように設定し、この後面の上端高さを前記側面の上端高さよりも高く形成することで後面における水洗水が当たる領域を上方向に拡大したことを特徴とする水洗便器。
【請求項２】
前記吐出口が設けられる一方の側面と対面する他方の側面に、前記吐出口から独立した補助吐出口を設け、この補助吐出口の向きを水洗水が前記ボウル内の側面よりも前方に位置する前面に向かうように設定したことを特徴とする請求項１記載の水洗便器。
【発明の詳細な説明】
【技術分野】
【０００１】
本発明は、水洗便器に関し、詳しくは水洗水供給装置からの水洗水をボウル内に吐出することでボウル内を洗浄する水洗便器に関するものである。
【背景技術】
【０００２】
従来から、ボウルの露出面の上端部分をアンダーカット部とし、このアンダーカット部から立ち上がった縁部が、ボウルを取り囲むリムで形成された便器が知られている（例えば、特許文献１参照）。この便器のアンダーカット部は、ボウル回りに旋回した旋回経路で形成され、棚面に水洗水を乗せて経路下流に流すものであり、リムは、アンダーカット部に対する縁部のオーバーハングの様子を、アンダーカット部の旋回経路に沿って異なるものとしている。またアンダーカット部から立ち上がった縁部は、吐出口近傍でアンダーカット部に対向するようオーバーハングして水洗水の拡散噴出を回避するものであり、その他の領域では、アンダーカット部に対して傾斜して、水洗水の便器外部への飛散を防止するものである。
【０００３】
この従来例では、図７に示すように、ボウル２内の右側Ｃの後方Ｂの奥側に寄せて、前方Ａに向けて開放された水洗水の吐出口５´を設け、吐出口５´からの水洗水がボウル２内の前方Ａに位置する前面２ｂを経由して左側Ｄから後面２ａ側へと反時計回りに旋回させると共に、水飛び散り防止用の縁部６を突設したものである。
【０００４】
ところで、ボウル２内の後方Ｂに位置する後面２ａは、使用者の肛門直下に臨む部位であって最も便付着残りが多い場所Ｐである。しかし、従来では図７に示すように、水洗水の吐出口５´からボウル２の後面２ａまでの距離が遠く、そのため後面２ａでは水勢が弱まり、殊にタンクレス便器においては、水洗水の給水量に制限があるため、付着した汚物を洗い落としきれないという問題が生じかねない。そこで、後面２ａまでの水流を維持するために使用水量を多くすると、ボウル２のリム曲率半径の小さい部分である前面２ｂで水勢が強まり、この前面２ｂ上端から便器外方に水洗水が放出される可能性が生じるため、ボウル２の上端に水飛散防止のための縁部６を設けている。しかしこの縁部６を設けるとその下のアンダーカット部の奥まで目が届き難く、そのうえ掃除がしにくい場所であるため、細菌発生等により臭いの原因になるという問題もあった。
【０００５】
他の従来例として、特許文献２において、ボウルの前面の２箇所に左右方向に向けて吐出口を設けて、吐出口から左右に振り分けられた水洗水をボウルの後面に向けて周回させるようにした水洗便器が知られているが、この従来例でも吐出口からボウルの後面までの距離が遠く、そのため後面での洗浄力が十分に得られないという問題があった。
【先行技術文献】
【特許文献】
【０００６】
【特許文献１】特開２００１−２７９７９１号公報
【特許文献２】特開２００７−３１４９７５号公報
【発明の概要】
【発明が解決しようとする課題】
【０００７】
本発明は上記の事情に鑑みてなされたものであって、その目的とするところは、ボウル内の汚物が付着しやすい後面の洗浄性を向上させることができると共に清掃性を向上させることができる水洗便器を提供することにある。
【課題を解決するための手段】
【０００８】
前記の課題を解決するために、第１の発明は、ボウルと、ボウルの上端に設けられて便座を載置するリムと、水洗水供給装置からの水洗水をボウル内に吐出する吐出口とを備える水洗便器であって、前記吐出口をボウル内の左右方向いずれか一方の側面の上部に設けると共に水洗水の吐出方向を前記ボウル内の側面よりも後方に位置する後面に向くように設定し、この後面の上端高さを前記側面の上端高さよりも高く形成することで後面における水洗水が当たる領域を上方向に拡大したことを特徴とする。
【０００９】
第２の発明は、第１の発明において、前記吐出口が設けられる一方の側面と対面する他方の側面に、前記吐出口から独立した補助吐出口を設け、この補助吐出口の向きを水洗水が前記ボウル内の側面よりも前方に位置する前面に向かうように設定したことを特徴とする。
【発明の効果】
【００１０】
本発明は、水洗便器のボウル内の汚物が付着しやすい後面の洗浄性を向上させることができると共に清掃性を向上させることができるものである。
【図面の簡単な説明】
【００１１】
【図１】本発明の実施の形態の一例を示す水洗便器の斜視図である。
【図２】（ａ）は同上のボウル内における水洗水の旋回流を説明する平面図、（ｂ）は縁なし形状の吐出口付近の一部破断した斜視図である。
【図３】同上の水洗便器の側面断面図である。
【図４】本発明の他の実施の形態であり、（ａ）は開放水路部の上端に縁部を形成した一例を示す一部破断した斜視図であり、（ｂ）は（ａ）の他例を示す一部破断した斜視図である。
【図５】本発明のさらに他の実施の形態を示す水洗便器の斜視図である。
【図６】図５のボウル内における水洗水の旋回流を説明する平面図である。
【図７】従来の水洗便器の斜視図である。
【発明を実施するための形態】
【００１２】
以下、本発明の実施の形態について、図面を参照しながら説明する。
【００１３】
本例の水洗便器１は、図１に示すように、ボウル２を有する洋式の便器本体３と、水洗水供給装置４から供給される水洗水をボウル２内の後面２ａに向かって吐出する吐出口５とを備えている。ボウル２の底部の排水口７には、封水を貯留するトラップ部８が設けられている。図中の１４は便座、１５は便蓋である。
【００１４】
本発明において、後方Ｂとは、便座に着座した使用者の背面側をいい、前方Ａとは当該使用者の正面側をいい、左側Ｄ、右側Ｃとは、当該使用者から見た場合のボウル２の左側、右側をいうものとする。
【００１５】
本例のボウル２の上端には、便座載置面となる水平なリム９が形成されている。ボウル２の上端は水飛散防止用の縁部６（図４）を殆ど持たない縁なし形状である。つまり、便座載置用のリム９の開口寸法を、ボウル２内の最大開口寸法とほぼ同じ大きさに設定されている。
【００１６】
上記リム９内部には中空状のリム下通水路１６が形成されている。リム下通水路１６は、図２（ａ）に示すように、左側Ｄの側面２ｄから前面２ｂを経由して右側Ｃの側面２ｃ中央に至るまで、ボウル２の略３／４周に亘って設けられている。ボウル２の上端の略全周に亘ってボウル２内に開放された開放水路部１２が設けられている。リム下通水路１６の上流端は、便器本体３の後方Ｂに設けた水洗水供給装置４の給水口に接続され、リム下通水路１６の下流端には水洗水を開放水路部１２に向かって吐出する吐出口５が設けられる。本例では、吐出口５はボウル２の右側Ｃの側面２ｃ上部に設けられると共に、後面２ａに向かって水平方向に開口している。吐出口５から吐出する水洗水は、開放水路部１２を伝って、ボウル２内の後方Ｂに位置する後面２ａを経由して右側Ｃの側面２ｃから前面２ｂへ回り、更に左側Ｄの側面２ｄへと時計回りに旋回するように構成される。吐出口５からの水洗水の流量及び水流圧は水洗水供給装置４内で制御される。
【００１７】
さらに、図１、図３に示すように、ボウル２内の後面２ａは、水飛散防止の観点から、後面２ａの上端１３の高さを側面２ｃ（２ｄ）の上端９ａの高さよりも高く形成することで、後面２ａにおける水洗水が当たる領域を上方向に拡大させている。この拡大した領域Ｅ（図１、図３）は、吐出口５からの水洗水が後面２ａに対して強く当たった場合に、勢いで水が後面２ａの上端１３を乗り越えて便器外方に放出されるのを防止する働きをする。
【００１８】
次に洗浄動作を説明する。
【００１９】
便器洗浄操作が行われると、水洗水供給装置４からの水洗水がリム下通水路１６内を伝って時計回りにボウル２を略３／４ほど周回した後に、吐出口５から後方Ｂに向かって吐水される。この水洗水は、図２の矢印Ｗ１で示すように、ボウル２内の後面２ａに向かって吐水され、さらに図２の矢印Ｗ２→Ｗ３で示すように、ボウル２内の後面２ａを経由して前面２ｂへと時計回りに旋回しながら、ボウル２内面を洗浄しつつ徐々に下方向へ落ちて行き、汚物を巻き込みながら排水口７からトラップ部８を通って汚物と共に外部排水管（図示せず）へと排出される。
【００２０】
しかして、上記構成のボウル２内の側面に吐出口５を設け、この吐出口５からの水洗水の向きをボウル２内の後面２ａに向けることで、水洗水供給装置４からリム下通水路１６を伝って吐出口５から供給される水洗水は、図２に示すように、ボウル２の右側Ｃの側面２ｃと平行に吐出して後面２ａに向かって強い水勢で当たり、さらに左側Ｄの側面２ｄを経由して前面２ｂへ回り、さらに右側Ｃの側面２ｃへ回る旋回流となる。
【００２１】
ここで、ボウル２内の後方Ｂに位置する後面２ａは、使用者の肛門直下に臨む部位であって便付着残りが多い場所Ｐであり、水洗水の吐出口５とボウル２内の後面２ａとの距離を短くすることで、後面２ａの洗浄力を高めることができる。殊にタンクレス便器のように水洗水の給水量に制限がある場合でも、後面２ａに対して近い距離から水洗水が当たることで、汚物の洗い落としが十分になし得るものとなる。一方、ボウル２内の前面２ｂでは水勢が低減されるが、この前面２ｂは後面２ａと比較して汚物が殆ど付着しない場所であることから、弱い水流でも十分な洗浄が可能となる。結果、ボウル２内の洗浄性が向上する。
【００２２】
また、上記のようにボウル２内の後面２ａに対して近い距離から水洗水が勢いよく当たると、この水洗水が、側面２ｃと比べてリム曲率半径の小さい後面２ａの上端１３から便器外方に放出される可能性がある。そこで本例では、後面２ａの上端１３の高さを側面２ｃ（２ｄ）の上端９ａの高さよりも高く形成することで、後面２ａにおける水洗水が当たる領域を上方向に延ばして拡大した（図１、図３の拡大領域Ｅ）。これにより、後面２ａの上端１３側から便器外方への水の放出を生じにくくすることができる。また、後面２ａに当たった水洗水の勢いは、前面２ｂ側では低減されるため、前面２ｂの上端からの水飛散も防止できる。この結果、ボウル２全周を縁なし形状とすることが可能となる。つまり、ボウル２の上端を縁なし形状とすることで、清掃性に優れたものとなり、ボウル２内に付着した汚物を簡単且つ衛生的に洗い落とせるようになると共に、縁なし形状とすることで汚物が付着した場合でも視認性が向上するので、使用者に掃除の必要性を喚起し、掃除を促すことができる。
【００２３】
また本例では、ボウル２の後方Ｂ上面に局部洗浄装置（図示せず）が組み込まれたケーシング１７が設置され、このケーシング１７の前壁１７ａがボウル２内の後面２ａ上端近傍に位置することで、水洗水が後面２ａの上端１３から万一、放出された場合でも、前壁１７ａが水返し部として機能するので、水洗水の便器外方への放出をより一層生じにくくすることができる。
【００２４】
前記図１〜図３の実施形態では、後方Ｂに向けて開放される吐出口５を、ボウル２の右側Ｃの側面２ｃ上部に設けて、水洗水を時計回りに旋回させるようにしたが、これとは逆に、ボウル２の左側Ｄの側面２ｄ上部に設けて反時計回りに水洗水を旋回させるようにしてもよい。
【００２５】
図４は、ボウル２の全周に設けられる開放水路部１２の上端に、水飛散防止用の縁部６を設けた場合の一例を示す。図４（ａ）はボウル２内に向けて下方に開放された断面略Ｃ形のアンダーカット形状６ａを例示し、図４（ｂ）は、ボウル２内に向けて側方に開放された断面略コ字形のアンダーカット形状６ａを例示している。水飛散を防止するうえでより効果的となる。
【００２６】
図５は、後方Ｂに向けて開放される吐出口５とは別に前方Ａに向けて開放される補助吐出口１１を別途設けた場合の一例を示し、図６は吐出口５及び補助吐出口１１からのそれぞれの水洗水の吐出方向を示している。補助吐出口１１は、吐出口５が設けられる一方の側面２ｃと対面する他方の側面２ｄの上部に設けられ、補助吐出口１１から吐出される水洗水の吐出方向はボウル２内の側面２ｄよりも前方Ａに位置する前面２ｂに向かうように設定される。図示例では、吐出口５を右側Ｃの側面２ｃ上部に設け、補助吐出口１１を左側Ｄの側面２ｄの上部に設けて、水洗水を時計回りに旋回させる場合を例示したが、これとは逆に、吐出口５を左側Ｄの側面２ｄの上部に設け、補助吐出口１１を右側Ｃの側面２ｃの上部に設けて、水洗水を反時計回りに旋回させるようにしてもよい。水洗水供給装置４からは、吐出口５のリム下通水路１６と補助吐出口１１のリム下通水路１６ａとにそれぞれ水洗水が供給される。
【００２７】
しかして、ボウル２内の側面２ｃに設けた吐出口５の向きは後面２ａに向けられ、吐出口５と対面する補助吐出口１１の向きは前面２ｂに向けられるので、吐出口５と補助吐出口１１からそれぞれ吐出する水洗水の流れが、ボウル２内を図６の矢印Ｗ１に示すように、吐出口５からの水洗水はボウル２内の後面２ａを経由して左側Ｄの側面２ｄから前面２ｂへ回り、一方、補助吐出口１１からの水洗水は図６のＷ２に示すように、ボウル２内の前面２ｂを経由して右側Ｃの側面２ｃへと回り、一方向の旋回流（本例では時計回りの旋回流）となる。従って、仮りに吐出口５からの水勢が弱くて、吐出口５から離れた前面２ｂに水洗水が十分に届かない場合でも、補助吐出口１１からの水洗水が前面２ｂに向かって吐出することで、ボウル２面全体に水洗水が十分に届くようになり、洗浄ムラをなくすことができる。逆に、吐出口５からの水勢が強くて、側面２ｄと比べてリム曲率半径の小さい前面２ｂの上端から水洗水が便器外方に放出しやすくなった場合でも、前面２ｂ側から便器外方に飛び出そうとする水は、補助吐出口１１から前面２ｂに向かう水洗水の旋回流Ｗ２によって妨げられるようになり、結果、前面２ｂの上端から便器外方への水洗水の放出を抑止できるものである。
【符号の説明】
【００２８】
１  水洗便器
２  ボウル
２ａ  後面
２ｂ  前面
２ｃ,２ｄ  側面
３  便器本体
４  水洗水供給装置
５  吐出口
６  縁部
９  リム
１１  補助吐出口
１４  便座
Ａ  前方
Ｂ  後方
【図１】
2011231472.tif 000003
【図２】
2011231472.tif 000004
【図３】
2011231472.tif 000005
【図４】
2011231472.tif 000006
【図５】
2011231472.tif 000007
【図６】
2011231472.tif 000008
【図７】
2011231472.tif 000009